(57)【要約】  セッション確立方法、装置及びシステムを提供する。該方法は、Ｖ−ＰＣＲＦが、Ｓ９セッションと進化型のパケットコアネットワークルーティングサービスのポリシー制御用の第１のＳ９サブセッションとの確立をトリガーするための、Ｈ−ＰＣＲＦから送信されたＳ９セッション確立トリガーメッセージを受信し、Ｖ−ＰＣＲＦがＳ９セッションが確立済み又は確立中であるか否かを判定し、判定結果がＹＥＳである場合、Ｖ−ＰＣＲＦがＨ−ＰＣＲＦに当該Ｓ９セッションが確立済み又は確立中であることを指示するステップを含む。本発明によると、関連技術におけるＳ９サブセッションの確立中の衝突問題を解決し、システムの安定性を向上させる。
2015537426.tif 000002
【特許請求の範囲】
【請求項１】
訪問ポリシー及び課金ルール機能Ｖ−ＰＣＲＦが、Ｓ９セッションと進化型のパケットコアネットワークルーティングサービスＥＰＣ−ｒｏｕｔｅｄ  ｔｒａｆｆｉｃのポリシー制御用の第１のＳ９サブセッションとの確立をトリガーするための、ホームポリシー及び課金ルール機能Ｈ−ＰＣＲＦから送信されたＳ９セッション確立トリガーメッセージを受信し、
前記Ｖ−ＰＣＲＦが、前記Ｓ９セッションが確立済み又は確立中であるか否かを判定し、
判定結果がＹＥＳである場合、前記Ｖ−ＰＣＲＦが、前記Ｈ−ＰＣＲＦに前記Ｓ９セッションが確立済み又は確立中であることを指示するステップを含むセッション確立方法。
【請求項２】
前記Ｖ−ＰＣＲＦが、前記Ｈ−ＰＣＲＦに前記Ｓ９セッションが確立済み又は確立中であることを指示するステップは、
前記Ｖ−ＰＣＲＦが、前記Ｈ−ＰＣＲＦに、前記Ｓ９セッションが確立済み又は確立中であることを指示するための識別子を含む確認メッセージを送信するステップを含む請求項１に記載の方法。
【請求項３】
前記Ｖ−ＰＣＲＦが、前記Ｓ９セッションが確立済み又は確立中であるか否かを判定する前に、
前記Ｖ−ＰＣＲＦが、前記Ｈ−ＰＣＲＦに、前記Ｓ９セッションとノンシームレスの無線ＬＡＮオフロードサービスＮＳＷＯ  ｔｒａｆｆｉｃのポリシー制御用の第２のＳ９サブセッションとを確立するためのセッション確立メッセージを送信するステップを更に含む請求項１に記載の方法。
【請求項４】
前記Ｖ−ＰＣＲＦが、前記Ｈ−ＰＣＲＦにセッション確立メッセージを送信した後、
前記Ｈ−ＰＣＲＦが、前記Ｖ−ＰＣＲＦから送信された前記セッション確立メッセージを受信し、
前記Ｈ−ＰＣＲＦが、前記Ｖ−ＰＣＲＦに、前記第１のＳ９サブセッションの確立をトリガーするためのＳ９サブセッション確立トリガーメッセージを送信するステップを更に含む請求項３に記載の方法。
【請求項５】
前記Ｈ−ＰＣＲＦが前記Ｖ−ＰＣＲＦにＳ９サブセッション確立トリガーメッセージを送信した後、
前記Ｖ−ＰＣＲＦが、Ｈ−ＰＣＲＦに、前記第１のＳ９サブセッションを確立するためのセッション補正メッセージを送信するステップを更に含む請求項４に記載の方法。
【請求項６】
ホームポリシー及び課金ルール機能Ｈ−ＰＣＲＦが、訪問ポリシー及び課金ルール機能Ｖ−ＰＣＲＦに、Ｓ９セッションと進化型のパケットコアネットワークルーティングサービスＥＰＣ−ｒｏｕｔｅｄ  ｔｒａｆｆｉｃのポリシー制御用の第１のＳ９サブセッションとの確立をトリガーするためのＳ９セッション確立トリガーメッセージを送信し、
前記Ｈ−ＰＣＲＦが、前記Ｖ−ＰＣＲＦからの、前記Ｓ９セッションが確立済み又は確立中であることを表す指示を受信し、
前記Ｈ−ＰＣＲＦが、前記Ｖ−ＰＣＲＦに、前記第１のＳ９サブセッションの確立をトリガーするためのＳ９サブセッション確立トリガーメッセージを送信するステップを含むセッション確立方法。
【請求項７】
前記Ｈ−ＰＣＲＦが、前記Ｖ−ＰＣＲＦからの、前記Ｓ９セッションが確立済み又は確立中であることを表す指示を受信するステップは、
前記Ｈ−ＰＣＲＦが、前記Ｖ−ＰＣＲＦからの、前記Ｓ９セッションが確立済み又は確立中であることを指示するための識別子を含む確認メッセージを受信するステップを含む請求項６に記載の方法。
【請求項８】
Ｈ−ＰＣＲＦが、Ｖ−ＰＣＲＦにＳ９セッション確立トリガーメッセージを送信する前に、
前記Ｈ−ＰＣＲＦが、前記Ｓ９セッションの未確立を検出するステップを更に含む請求項６又は７に記載の方法。
【請求項９】
訪問ポリシー及び課金ルール機能Ｖ−ＰＣＲＦに設置されるセッション確立装置であって、
Ｓ９セッションと進化型のパケットコアネットワークルーティングサービスＥＰＣ−ｒｏｕｔｅｄ  ｔｒａｆｆｉｃのポリシー制御用の第１のＳ９サブセッションとの確立をトリガーするための、ホームポリシー及び課金ルール機能Ｈ−ＰＣＲＦから送信されたＳ９セッション確立トリガーメッセージを受信する第１の受信モジュールと、
前記Ｓ９セッションが確立済み又は確立中であるか否かを判定する判定モジュールと、
前記判定モジュールの判定結果がＹＥＳである場合、前記Ｈ−ＰＣＲＦに前記Ｓ９セッションが確立済み又は確立中であることを指示する指示モジュールと、を含むセッション確立装置。
【請求項１０】
前記指示モジュールは、
前記Ｈ−ＰＣＲＦに、前記Ｓ９セッションが確立済み又は確立中であることを指示するための識別子を含む確認メッセージを送信する送信ユニットを含む請求項９に記載の装置。
【請求項１１】
前記Ｈ−ＰＣＲＦからの、前記第１のＳ９サブセッションの確立をトリガーするためのＳ９サブセッション確立トリガーメッセージを受信する第２の受信モジュールを更に含む請求項９又は１０に記載の装置。
【請求項１２】
ホームポリシー及び課金ルール機能Ｈ−ＰＣＲＦに設置されるセッション確立装置であって、
訪問ポリシー及び課金ルール機能Ｖ−ＰＣＲＦに、Ｓ９セッションと進化型のパケットコアネットワークルーティングサービスＥＰＣ−ｒｏｕｔｅｄ  ｔｒａｆｆｉｃのポリシー制御用の第１のＳ９サブセッションとの確立をトリガーするためのＳ９セッション確立トリガーメッセージを送信する第１の送信モジュールと、
前記Ｖ−ＰＣＲＦからの、前記Ｓ９セッションが確立済み又は確立中であることを表す指示を受信する第３の受信モジュールと、
前記Ｖ−ＰＣＲＦに、前記第１のＳ９サブセッションの確立をトリガーするためのＳ９サブセッション確立トリガーメッセージを送信する第２の送信モジュールと、を含むセッション確立装置。
【請求項１３】
前記Ｓ９セッションの未確立を検出する検出モジュールを更に含む請求項１２に記載の装置。
【請求項１４】
請求項９〜１１のうちのいずれかに記載の訪問ポリシー及び課金ルール機能Ｖ−ＰＣＲＦに設置されるセッション確立装置を含むと共に、請求項１２又は１３に記載のホームポリシー及び課金ルール機能Ｈ−ＰＣＲＦに設置されるセッション確立装置を更に含むセッション確立システム。
【発明の詳細な説明】
【技術分野】
【０００１】
本発明は、通信分野に関し、具体的に、セッション確立方法、装置及びシステムに関する。
【背景技術】
【０００２】
図１は関連技術に係わる第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ、３ＧＰＰと略称）から進化したパケットシステム（Ｅｖｏｌｖｅｄ  Ｐａｃｋｅｔ  Ｓｙｓｔｅｍ、ＥＰＳと略称）の構造を示す概念図であり、図１に示すように、非ローミング状況でのＥＰＳネットワーク構成は、進化型汎用移動通信システム陸上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮと略称）と、移動管理ユニット（Ｍｏｂｉｌｉｔｙ  Ｍａｎａｇｅｍｅｎｔ  Ｅｎｔｉｔｙ、ＭＭＥと略称）と、サービング・ゲートウエイ（Ｓｅｒｖｉｎｇ  Ｇａｔｅｗａｙ、Ｓ−ＧＷと略称）と、パケットデータネットワークゲートウェイ（Ｐａｃｋｅｔ  Ｄａｔａ  Ｎｅｔｗｏｒｋ  Ｇａｔｅｗａｙ、Ｐ−ＧＷと略称、ＰＤＮ  ＧＷとも呼ばれる）と、ホーム加入者サーバ（Ｈｏｍｅ  Ｓｕｂｓｃｒｉｂｅｒ  Ｓｅｒｖｅｒ、ＨＳＳと略称）と、ポリシー及び課金ルール機能（Ｐｏｌｉｃｙ  ａｎｄ  Ｃｈａｒｇｉｎｇ  Ｒｕｌｅｓ  Ｆｕｎｃｔｉｏｎ、ＰＣＲＦと略称）エンティティと、他のサポート点から構成される。
【０００３】
ここで、ＰＣＲＦはポリシー及び課金制御（Ｐｏｌｉｃｙ  ａｎｄ  Ｃｈａｒｇｉｎｇ  Ｃｏｎｔｒｏｌ、ＰＣＣと略称）のキーポイントで、ポリシーの決定及び課金ルールの制定を担っている。ＰＣＲＦは、サービスデータストリームに基づくネットワーク制御ルールを提供し、当該ネットワーク制御は、サービスデータストリームの検出と、ゲーティング制御（Ｇａｔｉｎｇ  Ｃｏｎｔｒｏｌ）と、サービス品質（Ｑｕａｌｉｔｙ  ｏｆ  Ｓｅｒｖｉｃｅ、ＱｏＳと略称）の制御と、データストリームに基づく課金ルール等を含む。ＰＣＲＦは、制定したポリシー及び課金ルールをポリシー及び課金実行機能（Ｐｏｌｉｃｙ  ａｎｄ  Ｃｏｎｔｒｏｌ  Ｅｎｆｏｒｃｅｍｅｎｔ  Ｆｕｎｃｔｉｏｎ、ＰＣＥＦと略称）に送信して実行させ、同時に、ＰＣＲＦはこれらのルールをユーザとの契約情報に一致させなければならない。ＰＣＲＦは、アプリケーション機能（Ａｐｐｌｉｃａｔｉｏｎ  Ｆｕｎｃｔｉｏｎ、ＡＦと略称）からサービスに関連する情報を取得することと、ユーザとの契約データベース（Ｓｕｂｓｃｒｉｐｔｉｏｎ  Ｐｒｏｆｉｌｅ  Ｒｅｐｏｓｉｔｏｒｙ、ＳＰＲと略称）からユーザポリシー課金制御契約情報を取得することと、ＰＣＥＦから積載に関連するネットワークの情報を取得することに基づいてポリシー及び課金ルールを制定する。
【０００４】
ＥＰＳは非３ＧＰＰシステムとの共通を支援し、ＥＰＳと非３ＧＰＰシステムとの共通はＳ２ａ／ｂ／ｃインターフェースを介して実現され、Ｐ−ＧＷは、３ＧＰＰと非３ＧＰＰシステムの間のアンカーである。図１に示すように、非３ＧＰＰシステムは信任できる非３ＧＰＰ  ＩＰアクセスと信任できない非３ＧＰＰ  ＩＰアクセスとに分けられている。信任できる非３ＧＰＰ  ＩＰアクセスは、直接にＳ２ａインターフェースを介してＰ−ＧＷに接続され、信任できない非３ＧＰＰ  ＩＰアクセスは進化型のパケットデータゲートウエイ（Ｅｖｏｌｖｅｄ  Ｐａｃｋｅｔ  Ｄａｔａ  Ｇａｔｅｗａｙ、ｅＰＤＧと略称）を介してＰ−ＧＷに接続され、ｅＰＤＧとＰ−ＧＷとの間のインターフェースはＳ２ｂインターフェースであって、ユーザ機器（Ｕｓｅｒ  Ｅｑｕｉｐｍｅｎｔ、ＵＥと略称）とｅＰＤＧとの間はＩｎｔｅｒｎｅｔ  プロトコルセキュリティ（ＩＰＳｅｃ）によってシグナルとデータの暗号化を行って保護する。Ｓ２ｃインターフェースは、ユーザ機器とＰ−ＧＷとの間のユーザ側に関する制御及び移動性支援を提供し、その支援する移動性管理プロトコルはデュアルスタックを支援する移動ＩＰｖ６（即ち、ＤＳＭＩＰｖ６、デュアルスタック移動ＩＰｖ６）である。
【０００５】
現在、多くの通信事業者は固定網と移動網の融合（Ｆｉｘｅｄ  Ｍｏｂｉｌｅ  Ｃｏｎｖｅｒｇｅｎｃｅ、ＦＭＣと略称）技術に関心を集めていて、３ＧＰＰとブロードバンドフォーラム（Ｂｒｏａｄｂａｎｄ  Ｆｏｒｕｍ、ＢＢＦと略称）接続共通技術についても研究を行っている。
【０００６】
図２は、関連技術に係わるＵＥがＢＢＦアクセスネットワークを介して３ＧＰＰコアネットワークにアクセスするポリシーが共通する状況でのホームルーティングのローミング構造を示す概念図であり、図２に示すように、ＢＢＦアクセスネットワークは信任できない非３ＧＰＰアクセスネットワークであると認められている。ユーザは、ＢＢＦアクセスネットワークを介して移動コアネットワークにアクセスする。現在、上記構造に基づいて、２種類のサービス方式がある。その中の一つは、ＵＥがアクセスするサービスがルーティングしてＥＰＣに戻る必要があることで、進化型パケットコアネットワークルーティング（ＥＰＣ−ｒｏｕｔｅｄ）と呼ばれ、他の一つは、ＵＥがアクセスするサービスがＥＰＣに戻る必要がなく、直接にＢＢＦネットワークからサービスネットワークへルーティングすることで、ノンシームレス無線ＬＡＮオフロード（Ｎｏｎ−Ｓｅａｍｌｅｓｓ  ＷＬＡＮ  Ｏｆｆｌｏａｄ、ＮＳＷＯと略称）と呼ばれる。図２に示す状況でのローミングについて、ＢＢＦアクセスネットワークは公共陸上無線ネットワーク（Ｖｉｓｉｔｅｄ  Ｐｕｂｌｉｃ  Ｌａｎｄ  Ｍｏｂｉｌｅ  Ｎｅｔｗｏｒｋ、ＶＰＬＭＮと略称）をアクセスすることによって、認証、データルーティング、ポリシー制御等を含むホームＰＬＭＮ（Ｈｏｍｅ  ＰＬＭＮ、ＨＰＬＭＮと略称）との共通を実現している。
【０００７】
図３は関連技術に係わるＵＥがＢＢＦアクセスネットワークを介して３ＧＰＰコアネットワークにアクセスするポリシーが融合された状況でのホームルーティングローミング構造を示す概念図であり、図３に示すように、図２との相違点は、通常、ＢＢＦアクセスネットワークとＶＰＬＭＮが同一の通信事業者に所属し、訪問ＰＣＲＦ（Ｖｉｓｉｔ  ＰＣＲＦ、Ｖ−ＰＣＲＦと略称）はＧｘｄインターフェースを介してＩＰ  Ｅｄｇｅとの交換を支援し、ホームＰＣＲＦ（Ｈｏｍｅ  ＰＣＲＦ、Ｈ−ＰＣＲＦと略称）はＶ−ＰＣＲＦを介してＢＢＦアクセスネットワークとの交換を実現することである。
【０００８】
図４は、関連技術に係わるＵＥが固定帯域幅アクセスネットワークを介して３ＧＰＰコアネットワークにアクセスするフローチャートであり、図４に示すように、図２に基づく構成図であって、ＵＥがＰＭＩＰｖ６プロトコルによって３ＧＰＰにアクセスする際のフローチャートであって、その中のｅＰＤＧとＰ−ＧＷとの間は汎用パケット無線サービストンネリングプロトコル（ＧＰＲＳ  Ｔｕｎｎｅｌ  Ｐｒｏｔｏｃｏｌ、ＧＴＰと略称）を用いており、具体的に以下のステップを含む。
【０００９】
ＵＥが、ＢＢＦアクセスシステムにアクセスし、３ＧＰＰ−ｂａｓｅｄアクセス認証を行う。ＢＢＦ  ＡＡＡが３ＧＰＰ  ＡＡＡ  Ｐｒｏｘｙを介して３ＧＰＰ  ＡＡＡ  Ｓｅｒｖｅｒと交換して（又は、ＡＡＡ  Ｓｅｒｖｅｒが更にＨＳＳと交換）ＥＡＰ認証を完成する（ステップＳ４０２）。
ＵＥが、ＢＢＦアクセスネットワークが割り当てたローカルＩＰアドレスを取得する（ステップＳ４０４）。
【００１０】
ＢＰＣＦは、ステップＳ４０２又はステップＳ４０４によってトリガーされ、ＵＥがＢＢＦアクセスネットワークを介してアクセスした通知を受ける（ステップＳ４０６）。
ＢＰＣＦがトリガーされ、且つＰＣＲＦとのポリシーの共通を支援する場合、ローカルポリシーが当該ユーザにノンシームレスの無線ＬＡＮオフロードサービス（ＮＳＷＯ  ｔｒａｆｆｉｃ）のポリシー制御を提供可能であることを指示すると、ＢＰＣＦはＶ−ＰＣＲＦにＣＣＲメッセージを送信して、Ｓ９ａ＊セッションの確立を要求し、メッセージにはユーザ識別子、ＵＥローカルＩＰアドレス、ＮＳＷＯ−ＡＰＮが含まれている（ステップＳ４０８）。
【００１１】
Ｖ−ＰＣＲＦは、当該ユーザのＳ９セッションが確立されていないと判定し、Ｈ−ＰＣＲＦにＣＣＲメッセージ（Ｓ９セッション確立メッセージ）を送信して、Ｓ９セッションと一つのＳ９サブセッションの確立を要求し、サブセッションにユーザ識別子、ＵＥローカルＩＰアドレス、ＮＳＷＯ−ＡＰＮが含まれている。Ｖ−ＰＣＲＦは、Ｓ９ａ＊セッションとＳ９サブセッションの対応関係を記憶する。当該Ｓ９サブセッションは、ＮＳＷＯサービスへのポリシー制御に用いられる（ステップＳ４１０）。
Ｈ−ＰＣＲＦはポリシーを決定した後、確認メッセージ（即ち、ＣＣＡメッセージ）を返送し、また、ポリシーをＳ９サブセッションを介してＶ−ＰＣＲＦに送信する（ステップＳ４１２）。
【００１２】
Ｖ−ＰＣＲＦは、ポリシーを更にＣＣＡメッセージを介してＢＰＣＦに送信する（ステップＳ４１４）。
ＵＥは訪問ネットワークに位置するｅＰＤＧを動的に選択する。ＵＥは、ＩＫＥｖ２トンネリング確立フローを開始し、また、ＥＡＰによって認証を行う。ｅＰＤＧは、ＵＥのローカルＩＰアドレスを取得する（ステップＳ４１６）。
【００１３】
ｅＰＤＧは、Ｐ−ＧＷを選択した後、選択したＰ−ＧＷにセッション確立要求メッセージを送信し、メッセージにユーザ識別子等、ＵＥローカルＩＰアドレスが含まれている。Ｐ−ＧＷは、要求メッセージを受信した後、ＵＥにＥＰＣ  ＩＰアドレスを割り当てて、バインドコンテキストを確立する（ステップＳ４１８）。
Ｐ−ＧＷ中のＰＣＥＦが、ユーザ識別子、ＰＤＮ識別子、ＵＥローカルＩＰアドレス、ＵＥ  ＥＰＣ  ＩＰアドレスを含むＩＰ−ＣＡＮセッション確立指示メッセージをＨ−ＰＣＲＦに送信する。Ｈ−ＰＣＲＦは、ユーザ識別子等の情報に基づいて、ＱｏＳ認可を行って、ＰＣＥＦに確認メッセージを返送する（ステップＳ４２０）。
【００１４】
Ｐ−ＧＷが、ＡＡＡ  ＳｅｒｖｅｒにＰ−ＧＷ  ＩＰアドレス更新メッセージを送信し、Ｐ−ＧＷのアドレスをＡＡＡ  Ｓｅｒｖｅｒに送信し、ＡＡＡ  Ｓｅｒｖｅｒはさらに、ＨＳＳとの交換を行って、Ｐ−ＧＷのアドレスをＨＳＳに記憶する（ステップＳ４２２）。
Ｐ−ＧＷが、ｅＰＤＧにセッション確立確認メッセージを返送し、メッセージはＥＰＣ  ＩＰアドレスを含む（ステップＳ４２４）。
【００１５】
代理バインドの更新に成功し、ＵＥとｅＰＤＧとの間にＩＰＳｅｃトンネリングを確立する（ステップＳ４２６）。
ｅＰＤＧが、ＵＥのＩＰアドレスを含む最後のＩＫＥｖ２シグナルをＵＥに送信する（ステップＳ４２８）。
【００１６】
ステップＳ４１８によってトリガーされ、また、Ｈ−ＰＣＲＦが当該ユーザのＳ９セッションが既に確立されたと判定すると、Ｈ−ＰＣＲＦは、Ｖ−ＰＣＲＦにＲＡＲメッセージ（Ｓ９サブセッション確立トリガーメッセージ）を送信し、Ｓ９サブセッションの確立をトリガーして、進化型のパケットコアネットワークルーティングサービス（ＥＰＣ−ｒｏｕｔｅｄ  ｔｒａｆｆｉｃ）のポリシー制御に利用し、メッセージにユーザ識別子、ＡＰＮ、ＵＥのローカルＩＰアドレスが含まれている（ステップＳ４３０）。
Ｖ−ＰＣＲＦが、Ｈ−ＰＣＲＦにＲＡＡメッセージを返送し、Ｖ−ＰＣＲＦがＨ−ＰＣＲＦに確認メッセージを返送する（ステップＳ４３２）。
【００１７】
Ｖ−ＰＣＲＦが、Ｈ−ＰＣＲＦにＣＣＲメッセージ（Ｓ９セッション補正メッセージ）を送信して、Ｓ９セッションを補正し、一つのＳ９サブセッションを新しく確立する。当該サブセッションは、ＥＰＣ−ｒｏｕｔｅｄサービスのポリシー制御に用いられる（ステップＳ４３４）。
Ｈ−ＰＣＲＦが、Ｖ−ＰＣＲＦにＣＣＡメッセージを返送し、Ｓ９セッション補正メッセージの確認を行う（ステップＳ４３６）。
【００１８】
Ｖ−ＰＣＲＦが、ステップＳ４３０によってトリガーされ、ＢＰＣＦにＴＥＲメッセージを送信し、Ｓ９ａセッションの確立をトリガーし、メッセージにユーザ識別子、ＵＥローカルＩＰアドレスが含まれている（ステップＳ４３８）。
ＢＰＣＦが、Ｖ−ＰＣＲＦにＴＥＡメッセージを返送して、Ｓ９ａセッション確立メッセージのトリガーを確認する（ステップＳ４４０）。
【００１９】
ＢＰＣＦが、Ｖ−ＰＣＲＦにＣＣＲメッセージを送信し、Ｓ９ａセッションの確立を要求する（ステップＳ４４２）。
Ｖ−ＰＣＲＦが、ＢＰＣＦにＣＣＡメッセージを返送し、Ｓ９ａセッションの確立を確認する（ステップＳ４４４）。
ＢＰＣＦが、ＩＰ  Ｅｄｇｅにポリシーを提供する（ステップＳ４４６）。
【００２０】
上記ステップにおいて、ステップＳ４３０は、Ｈ−ＰＣＲＦがステップＳ４１０での送信を受信したと仮定し、即ち、Ｓ９セッションが既に確立されたと仮定して行われる。しかし、実際には、ステップＳ４０６とステップＳ４１６は同時に行うことが可能であるので、Ｈ−ＰＣＲＦがステップＳ４１８の際にはステップＳ４０６で送信されたが受信されなかったメッセージを受信し、この時、Ｓ９セッションが確立されていないので、Ｈ−ＰＣＲＦセッションはＶ−ＰＣＲＦにＳ９セッションのトリガーメッセージを送信するが、メッセージを送信した後、Ｈ−ＰＣＲＦがＮＳＷＯのＳ９サブセッションの確立に用いられるＳ９セッション確立メッセージを受信することになる。従って、Ｖ−ＰＣＲＦが、Ｈ−ＰＣＲＦが間違ったフローを実行していると認定することになる。
関連技術において、Ｓ９サブセッションの確立中に衝突が発生する問題について、未だに有効な解決案を提示されていない。
【発明の概要】
【発明が解決しようとする課題】
【００２１】
関連技術におけるＳ９サブセッションの確立中の衝突問題に鑑み、本発明の実施例は、少なくとも上記問題を解決できるセッション確立方法、装置及びシステムを提供することを目的とする。
【課題を解決するための手段】
【００２２】
本発明の実施例の一態様によると、Ｖ−ＰＣＲＦが、Ｓ９セッションと進化型のパケットコアネットワークルーティングサービスのポリシー制御用の第１のＳ９サブセッションとの確立をトリガーするための、Ｈ−ＰＣＲＦから送信されたＳ９セッション確立トリガーメッセージを受信し、前記Ｖ−ＰＣＲＦが、前記Ｓ９セッションが確立済み又は確立中であるか否かを判定し、判定結果がＹＥＳである場合、前記Ｖ−ＰＣＲＦが、前記Ｈ−ＰＣＲＦに前記Ｓ９セッションが確立済み又は確立中であることを指示するステップを含むセッション確立方法を提供する。
【００２３】
前記Ｖ−ＰＣＲＦが、前記Ｈ−ＰＣＲＦに前記Ｓ９セッションが確立済み又は確立中であることを指示するステップは、前記Ｖ−ＰＣＲＦが、前記Ｈ−ＰＣＲＦに、前記Ｓ９セッションが確立済み又は確立中であることを指示するための識別子を含む確認メッセージを送信するステップを含むことが好ましい。
【００２４】
前記Ｖ−ＰＣＲＦが、前記Ｓ９セッションが確立済み又は確立中であるか否かを判定する前に、前記Ｖ−ＰＣＲＦが、前記Ｈ−ＰＣＲＦに、前記Ｓ９セッションとノンシームレスの無線ＬＡＮオフロードサービスのポリシー制御用の第２のＳ９サブセッションとを確立するためのセッション確立メッセージを送信するステップを更に含むことが好ましい。
【００２５】
前記Ｖ−ＰＣＲＦが、前記Ｈ−ＰＣＲＦにセッション確立メッセージを送信した後、前記Ｈ−ＰＣＲＦが、前記Ｖ−ＰＣＲＦから送信された前記セッション確立メッセージを受信し、前記Ｈ−ＰＣＲＦが、前記Ｖ−ＰＣＲＦに、前記第１のＳ９サブセッションの確立をトリガーするためのＳ９サブセッション確立トリガーメッセージを送信するステップを更に含むことが好ましい。
【００２６】
前記Ｈ−ＰＣＲＦが前記Ｖ−ＰＣＲＦにＳ９サブセッション確立トリガーメッセージを送信した後、前記Ｖ−ＰＣＲＦが、Ｈ−ＰＣＲＦに、前記第１のＳ９サブセッションを確立するためのセッション補正メッセージを送信するステップを更に含むことが好ましい。
【００２７】
本発明の実施例の他の一態様によると、Ｈ−ＰＣＲＦが、Ｖ−ＰＣＲＦに、Ｓ９セッションと進化型のパケットコアネットワークルーティングサービスのポリシー制御用の第１のＳ９サブセッションとの確立をトリガーするためのＳ９セッション確立トリガーメッセージを送信し、前記Ｈ−ＰＣＲＦが、前記Ｖ−ＰＣＲＦからの、前記Ｓ９セッションが確立済み又は確立中であることを表す指示を受信し、前記Ｈ−ＰＣＲＦが、前記Ｖ−ＰＣＲＦに、前記第１のＳ９サブセッションの確立をトリガーするためのＳ９サブセッション確立トリガーメッセージを送信するステップを含むセッション確立方法を提供する。
【００２８】
前記Ｈ−ＰＣＲＦが、前記Ｖ−ＰＣＲＦからの、前記Ｓ９セッションが確立済み又は確立中であることを表す指示を受信するステップは、前記Ｈ−ＰＣＲＦが、前記Ｖ−ＰＣＲＦからの、前記Ｓ９セッションが確立済み又は確立中であることを指示するための識別子を含む確認メッセージを受信するステップを含むことが好ましい。
【００２９】
Ｈ−ＰＣＲＦが、Ｖ−ＰＣＲＦにＳ９セッション確立トリガーメッセージを送信する前に、前記Ｈ−ＰＣＲＦが、前記Ｓ９セッションの未確立を検出するステップを更に含むことが好ましい。
【００３０】
本発明の実施例の更なる他の一態様によると、Ｖ−ＰＣＲＦに設置されるセッション確立装置であって、Ｓ９セッションと進化型のパケットコアネットワークルーティングサービスのポリシー制御用の第１のＳ９サブセッションとの確立をトリガーするための、Ｈ−ＰＣＲＦから送信されたＳ９セッション確立トリガーメッセージを受信する第１の受信モジュールと、前記Ｓ９セッションが確立済み又は確立中であるか否かを判定する判定モジュールと、前記判定モジュールの判定結果がＹＥＳである場合、前記Ｈ−ＰＣＲＦに前記Ｓ９セッションが確立済み又は確立中であることを指示する指示モジュールと、を含むセッション確立装置を提供する。
【００３１】
前記指示モジュールは、前記Ｈ−ＰＣＲＦに、前記Ｓ９セッションが確立済み又は確立中であることを指示するための識別子を含む確認メッセージを送信する送信ユニットを含むことが好ましい。
【００３２】
前記装置が、前記Ｈ−ＰＣＲＦからの、前記第１のＳ９サブセッションの確立をトリガーするためのＳ９サブセッション確立トリガーメッセージを受信する第２の受信モジュールを更に含むことが好ましい。
【００３３】
本発明の実施例の他の一態様によると、Ｈ−ＰＣＲＦに設置されるセッション確立装置であって、Ｖ−ＰＣＲＦに、Ｓ９セッションと進化型のパケットコアネットワークルーティングサービスのポリシー制御用の第１のＳ９サブセッションとの確立をトリガーするためのＳ９セッション確立トリガーメッセージを送信する第１の送信モジュールと、前記Ｖ−ＰＣＲＦからの、前記Ｓ９セッションが確立済み又は確立中であることを表す指示を受信する第３の受信モジュールと、前記Ｖ−ＰＣＲＦに、前記第１のＳ９サブセッションの確立をトリガーするためのＳ９サブセッション確立トリガーメッセージを送信する第２の送信モジュールと、を含むセッション確立装置を提供する。
【００３４】
前記装置が、前記Ｓ９セッションの未確立を検出する検出モジュールを更に含むことが好ましい。
【００３５】
本発明の実施例の他の一態様によると、上記のＶ−ＰＣＲＦに設置されるセッション確立装置を含むと共に、上記のＨ−ＰＣＲＦに設置されるセッション確立装置を更に含むセッション確立システムを提供する。
【発明の効果】
【００３６】
本発明の実施例によれば、Ｖ−ＰＣＲＦがＨ−ＰＣＲＦから送信されるＳ９セッション確立トリガーメッセージを受信し、ここで、当該Ｓ９セッション確立トリガーメッセージはＳ９セッションと第１のＳ９サブセッションとの確立をトリガーするためのものであって、当該第１のＳ９サブセッションは進化型のパケットコアネットワークルーティングサービスのポリシー制御に用いられ、また、Ｖ−ＰＣＲＦがＳ９セッションが確立済み又は確立中であるか否かを判定し、判定結果がＹＥＳである場合、Ｖ−ＰＣＲＦがＨ−ＰＣＲＦに当該Ｓ９セッションが確立済み又は確立中であることを指示することによって、関連技術におけるＳ９サブセッションの確立中の衝突問題を解決し、システムの安定性を向上させる。
ここで説明する図面は、本発明をさらに理解させるためのものであり、本発明の一部を構成し、本発明における実施例およびその説明は本発明の解釈に用いられ、本発明を不当に限定するのではない。
【図面の簡単な説明】
【００３７】
【図１】図１は、関連技術に係わる３ＧＰＰ  ＥＰＳの構成を示す概念図である。
【図２】図２は、関連技術に係わるＵＥがＢＢＦアクセスネットワークを介して３ＧＰＰコアネットワークにアクセスするポリシーが共通する状況でのホームルーティングのローミング構造を示す概念図である。
【図３】図３は、関連技術に係わるＵＥがＢＢＦアクセスネットワークを介して３ＧＰＰコアネットワークにアクセスするポリシーが融合された状況でのホームルーティングのローミング構造を示す概念図である。
【図４】図４は、関連技術に係わるＵＥが固定帯域幅のアクセスネットワークを介して３ＧＰＰコアネットワークにアクセスするフローチャートである。
【図５】図５は、本発明の実施例に係わるセッション確立方法を示すフローチャートである。
【図６】図６は、本発明の実施例に係わるセッション確立装置の構造を示すブロック図である。
【図７】図７は、本発明の実施例に係わるセッション確立装置の好適な構造を示すブロック図である。
【図８】図８は、本発明の実施例に係わる他のセッション確立方法を示すフローチャートである。
【図９】図９は、本発明の実施例に係わる他のセッション確立装置の構造を示すブロック図である。
【図１０】図１０は、本発明の実施例に係わる他のセッション確立モジュールの好適な構造を示すブロック図である。
【図１１】図１１は、本発明の実施例に係わるセッション確立システムの構造を示すブロック図である。
【図１２】図１２は、本発明の実施例１に係わるセッション衝突処理方法を示すフローチャートである。
【図１３】図１３は、本発明の実施例２に係わるセッション衝突処理方法を示すフローチャートである。
【図１４】図１４は、本発明の実施例３に係わるセッション衝突処理方法を示すフローチャートである。
【図１５】図１５は、本発明の実施例４に係わるセッション衝突処理方法を示すフローチャートである。
【発明を実施するための形態】
【００３８】
以下、図面を参照しつつ実施例を結合して本発明の実施例を詳細に説明する。ここで、衝突しない限り、本願の実施例及び実施例中の特徴を互いに結合することができる。
本実施例においてセッション確立方法を提供し、図５は本発明の実施例に係わるセッション確立方法を示すフローチャートであり、図５に示すように、当該方法は以下のステップを含む。
Ｖ−ＰＣＲＦが、Ｈ−ＰＣＲＦから送信されるＳ９セッション確立トリガーメッセージを受信し（ステップＳ５０２）、ここで、当該Ｓ９セッション確立トリガーメッセージは、Ｓ９セッションと第１のＳ９サブセッションの確立をトリガーするためのものであって、当該第１のＳ９サブセッションは進化型のパケットコアネットワークルーティングサービス（ＥＰＣ−ｒｏｕｔｅｄ  ｔｒａｆｆｉｃ）のポリシー制御に用いられる。
Ｖ−ＰＣＲＦが、Ｓ９セッションが確立済み又は確立中であるか否かを判定する（ステップＳ５０４）。
判定結果がＹＥＳである場合、Ｖ−ＰＣＲＦが、Ｈ−ＰＣＲＦに当該Ｓ９セッションが確立済み又は確立中であることを指示する（ステップＳ５０６）。
【００３９】
本実施例の上記ステップによると、Ｖ−ＰＣＲＦがＨ−ＰＣＲＦから送信されたＳ９セッション確立トリガーメッセージを受信し、且つ、当該Ｓ９セッションが確立中又は確立済みであると判定された場合、Ｈ−ＰＣＲＦに当該Ｓ９セッションが確立済み又は確立中であることを指示することによって、Ｖ−ＰＣＲＦのために、Ｓ９セッションが確立済み又は確立中である場合、Ｈ−ＰＣＲＦから送信されるＳ９セッション確立トリガーメッセージを受信した時の処理方式を提供し、関連技術におけるＳ９サブセッションの確立中の衝突問題を解決し、システムの安定性を向上させる。
【００４０】
一好適な実施形態として、Ｖ−ＰＣＲＦが、メッセージに識別子を含む方式でＨ−ＰＣＲＦに上記Ｓ９セッションが確立済み又は確立中であることを指示することができ、例えば、Ｖ−ＰＣＲＦがＨ−ＰＣＲＦに確認メッセージ（例えば、ＴＥＡメッセージ）を送信することができ、ここで、当該確認メッセージにＳ９セッションが確立済み又は確立中であることを指示するための識別子を含むことができる。
【００４１】
Ｖ−ＰＣＲＦが、Ｓ９セッションの確立済み又は確立中を判定する前、Ｖ−ＰＣＲＦがＨ−ＰＣＲＦにセッション確立メッセージを送信することが好ましく、当該セッション確立メッセージは、Ｓ９セッションと第２のＳ９サブセッションを確立するためのものであって、当該第２のＳ９サブセッションは、ノンシームレスの無線ＬＡＮオフロードサービス（ＮＳＷＯ  ｔｒａｆｆｉｃ）に用いられる。
【００４２】
Ｈ−ＰＣＲＦがＶ−ＰＣＲＦから送信されたセッション確立メッセージを受信した後、Ｓ９セッションが確立済みであるので、この時、Ｈ−ＰＣＲＦがＶ−ＰＣＲＦにＳ９サブセッション確立トリガーメッセージを送信することが好ましく、当該Ｓ９サブセッション確立トリガーメッセージは第１のＳ９サブセッションの確立をトリガーするのに用いられるものである。
【００４３】
Ｈ−ＰＣＲＦから送信されたＳ９サブセッション確立トリガーメッセージを受信した後、Ｖ−ＰＣＲＦがＨ−ＰＣＲＦにセッション補正メッセージを送信することが好ましく、当該セッション補正メッセージは第１のＳ９サブセッションの確立に用いられる。
【００４４】
上記セッション確立方法に対応して、本実施例においてセッション確立装置を提供し、Ｖ−ＰＣＲＦに設置されるセッション確立装置であって、当該装置は上記実施例及び好適な実施形態を実現し、既に説明した部分の説明は省略する。以下の説明で用いられる用語「モジュール」は所定の機能を実現できるソフトウェア及び／又はハードウェアの組合せである。以下の実施例に記載の装置をソフトウェアで実現することが好ましいが、ハードウェア又はソフトウェアとハードウェアとの組合せで実現することも可能である。
【００４５】
図６は本発明の実施例に係わるセッション確立装置の構造を示すブロック図であり、図６に示すように、当該装置は、第１の受信モジュール６２と、判定モジュール６４と、指示モジュール６６と、を含み、以下、各モジュールを説明する。
第１の受信モジュール６２は、Ｈ−ＰＣＲＦから送信されたＳ９セッション確立トリガーメッセージを受信し、ここで、当該Ｓ９セッション確立トリガーメッセージはＳ９セッションと第１のＳ９サブセッションとの確立をトリガーすることに用いられ、当該第１のＳ９サブセッションは、進化型のパケットコアネットワークルーティングサービス（ＥＰＣ−ｒｏｕｔｅｄ  ｔｒａｆｆｉｃ）のポリシー制御に用いられる。判定モジュール６４は、Ｓ９セッションが確立済み又は確立中であるか否かを判定する。指示モジュール６６は、第１の受信モジュール６２と判定モジュール６４に接続し、判定モジュール６４の判定結果がＹＥＳである場合、Ｈ−ＰＣＲＦに当該Ｓ９セッションが確立済み又は確立中であることを指示する。
【００４６】
本実施例の上記モジュールによると、Ｖ−ＰＣＲＦが、第１の受信モジュール６２がＨ−ＰＣＲＦから送信されたＳ９セッション確立トリガーメッセージを受信し、且つ、判定モジュール６４によって当該Ｓ９セッションが確立中又は確立済みであると判定した場合に、指示モジュール６６によってＨ−ＰＣＲＦに当該Ｓ９セッションが確立済み又は確立中であることを指示することによって、Ｖ−ＰＣＲＦのために、Ｓ９セッションが確立済み又は確立中である場合にＨ−ＰＣＲＦから送信されたＳ９セッション確立トリガーメッセージを受信した時の処理方式を提供し、関連技術におけるＳ９サブセッションの確立中の衝突問題を解決し、システムの安定性を向上させる。
【００４７】
指示モジュール６６が、Ｈ−ＰＣＲＦに確認メッセージを送信する送信ユニット６６２を含むことが好ましく、ここで、当該確認メッセージにＳ９セッションが確立済み又は確立中であることを指示する識別子が含まれている。
【００４８】
図７は本発明の実施例に係わるセッション確立装置の好適な構造を示すブロック図であり、図７に示すように、当該装置は、指示モジュール６６に接続され、Ｈ−ＰＣＲＦからのＳ９サブセッション確立トリガーメッセージを受信する第２の受信モジュール７２を更に含み、当該Ｓ９サブセッション確立トリガーメッセージは、上記第１のＳ９サブセッションの確立をトリガーすることに用いられる。
【００４９】
本実施例において他のセッション確立方法を提供し、図８は本発明の実施例に係わる他のセッション確立方法を示すフローチャートであり、図８に示すように、当該方法は以下のステップを含む：
Ｈ−ＰＣＲＦが、Ｖ−ＰＣＲＦにＳ９セッション確立トリガーメッセージを送信し、ここで、当該Ｓ９セッション確立トリガーメッセージはＳ９セッションと第１のＳ９サブセッションとの確立をトリガーすることに用いられるものであって、当該第１のＳ９サブセッションは進化型のパケットコアネットワークルーティングサービス（ＥＰＣ−ｒｏｕｔｅｄ  ｔｒａｆｆｉｃ）のポリシー制御に用いられる（ステップＳ８０２）。
Ｈ−ＰＣＲＦが、Ｖ−ＰＣＲＦからの当該Ｓ９セッションが確立済み又は確立中であることを表する指示を受信する（ステップＳ８０４）。
Ｈ−ＰＣＲＦが、Ｖ−ＰＣＲＦにＳ９サブセッション確立トリガーメッセージを送信し、ここで、当該Ｓ９サブセッション確立トリガーメッセージは上記第１のＳ９サブセッションの確立をトリガーすることに用いられる（ステップＳ８０６）。
【００５０】
本実施例の上記ステップによると、Ｈ−ＰＣＲＦが、Ｖ−ＰＣＲＦにＳ９セッション確立トリガーメッセージを送信した後、Ｖ−ＰＣＲＦからの当該Ｓ９セッションが確立済み又は確立中であることを表する指示を受信すると、当該Ｈ−ＰＣＲＦはＶ−ＰＣＲＦにＳ９サブセッション確立トリガーメッセージを送信することによって、Ｈ−ＰＣＲＦのために、Ｓ９セッションが確立済み又は確立中である場合Ｖ−ＰＣＲＦにＳ９セッション確立トリガーメッセージを送信した時の処理方式を提供し、関連技術におけるＳ９サブセッション確立中の衝突問題を解決し、システムの安定性を向上させる。
【００５１】
好適な実施形態として、Ｖ−ＰＣＲＦが、メッセージに識別子を含む方式でＨ−ＰＣＲＦに上記Ｓ９セッションの確立済み又は確立中であることを指示することができ、この場合、Ｈ−ＰＣＲＦはＶ−ＰＣＲＦからの確認メッセージ（例えば、ＴＥＡメッセージ）を受信することができ、ここで、当該確認メッセージにＳ９セッションが確立済み又は確立中であることを指示するための識別子が含まれている。
【００５２】
Ｈ−ＰＣＲＦがＶ−ＰＣＲＦにＳ９セッション確立メッセージを送信する原因が、Ｈ−ＰＣＲＦがＶ−ＰＣＲＦにＳ９セッション確立トリガーメッセージを送信する必要があると確定したことである場合、上記Ｓ９セッションの未確立を検出することが好ましい。
【００５３】
上記他のセッション確立方法に対応し、本実施例において他のセッション確立装置を提供し、Ｈ−ＰＣＲＦに設置される装置であって、当該装置は上記実施例及び好適な実施形態を実施するためのものであって、既に説明した部分の説明は省略する。以下の説明で用いられる用語「モジュール」は所定の機能を実現できるソフトウェア及び／又はハードウェアの組合せである。以下の実施例に記載の装置をソフトウェアで実現することが好ましいが、ハードウェア又はソフトウェアとハードウェアとの組合せで実現することも可能である。
【００５４】
図９は本発明の実施例に係わる他のセッション確立装置の構造を示すブロック図であり、図９に示すように、当該装置は、第１の送信モジュール９２と、第３の受信モジュール９４と、第２の送信モジュール９６と、を含み、以下、各モジュールを詳しく説明する。
第１の送信モジュール９２は、Ｖ−ＰＣＲＦにＳ９セッション確立トリガーメッセージを送信し、ここで、当該Ｓ９セッション確立トリガーメッセージはＳ９セッションと第１のＳ９サブセッションの確立をトリガーすることに用いられ、当該第１のＳ９サブセッションは進化型のパケットコアネットワークルーティングサービス（ＥＰＣ−ｒｏｕｔｅｄ  ｔｒａｆｆｉｃ）のポリシー制御に用いられる。第３の受信モジュール９４は第１の送信モジュール９２に接続されて、Ｖ−ＰＣＲＦからのＳ９セッションが確立済み又は確立中であることを表する指示を受信する。第２の送信モジュール９６は第３の受信モジュール９４に接続されて、Ｖ−ＰＣＲＦにＳ９サブセッション確立トリガーメッセージを送信し、ここで、当該Ｓ９サブセッション確立トリガーメッセージは上記第１のＳ９サブセッションの確立をトリガーすることに用いられる。
【００５５】
本実施例の上記モジュールによると、Ｈ−ＰＣＲＦが、第１の送信モジュール９２によってＶ−ＰＣＲＦにＳ９セッション確立トリガーメッセージを送信した後、第３の受信モジュール９４によってＶ−ＰＣＲＦからの当該Ｓ９セッションが確立済み又は確立中であることを表する指示を受信すると、当該Ｈ−ＰＣＲＦは第２の送信モジュール９６を介して、Ｖ−ＰＣＲＦにＳ９サブセッション確立トリガーメッセージを送信することによって、Ｈ−ＰＣＲＦのためにＳ９セッションが確立済み又は確立中である場合にＶ−ＰＣＲＦにＳ９セッション確立トリガーメッセージを送信した時の処理方式を提供し、関連技術におけるＳ９サブセッションの確立中の衝突問題を解決し、システムの安定性を向上させる。
【００５６】
図１０は、本発明の実施例に係わる他のセッション確立モジュールの好適な構造を示すブロック図であり、図１０に示すように、当該装置は、第１の送信モジュール９２に接続されて、Ｓ９セッションの未確立を検出する検出モジュール１０２を更に含む。
【００５７】
本実施例においてセッション確立システムを提供し、図１１は本発明の実施例に係わるセッション確立システムの構造を示すブロック図であり、図１１に示すように、当該システムは、図６又は７に示すＶ−ＰＣＲＦに設置されるセッション確立装置６０（図１１において、図６に示すセッション確立装置を例に示している）を含み、さらに、図９又は１０に示すＨ−ＰＣＲＦに設置されるセッション確立装置９０（図１１において、図９に示すセッション確立装置を例に示している）を含む。
【００５８】
以下、好適な実施例を結合して説明し、以下の好適な実施例は上記実施例及び好適な実施形態を結合したものである。
以下の好適な実施例において、セッション衝突の処理方法及び装置を提供し、当該方法は、Ｖ−ＰＣＲＦが、Ｈ−ＰＣＲＦから送信されたＳ９セッション確立トリガーメッセージを受信した後、Ｖ−ＰＣＲＦが既にＳ９セッションの確立を開始していると、Ｖ−ＰＣＲＦが確認メッセージにＳ９セッション確立済み又は確立中の指示を含ませ、Ｈ−ＰＣＲＦが、Ｖ−ＰＣＲＦによって開始されたＳ９セッションが確立された後、Ｖ−ＰＣＲＦにＳ９サブセッション確立トリガーメッセージを送信するステップを含む。
【００５９】
実施例１
図１２は本発明の実施例１に係わるセッション衝突処理方法を示すフローチャートであり、図１２に示すように、当該図は図２の構造図に基づくものであって、ＵＥがＰＭＩＰｖ６プロトコルによって３ＧＰＰにアクセスする際のフローチャートであって、その中のｅＰＤＧとＰ−ＧＷとの間はＧＴＰ（ＧＰＲＳ  Ｔｕｎｎｅｌ  Ｐｒｏｔｏｃｏｌ）を用いて、当該プロセスは以下のステップを含む。
ステップＳ１２０２〜ステップＳ１２２８は、ステップＳ４０２〜ステップＳ４２８と同一である。
この時、Ｈ−ＰＣＲＦはステップＳ１２１０で送信されたＳ９セッション確立メッセージを受信していないので、Ｈ−ＰＣＲＦは当該ユーザのＳ９セッションが未確立であると判定し、Ｈ−ＰＣＲＦが、Ｖ−ＰＣＲＦにＴＥＲメッセージ（Ｓ９セッション確立トリガーメッセージ）を送信し、Ｓ９セッションの確立をトリガーすると共に、ＥＰＣ−ｒｏｕｔｅｄサービスのポリシー制御用のＳ９サブセッションを確立し、メッセージにユーザ識別子、ＡＰＮ、ＵＥローカルＩＰアドレス等の情報を含む（ステップＳ１２３０）。
【００６０】
Ｖ−ＰＣＲＦはＳ９セッションが確立済み又は確立中であることを検出するので、Ｈ−ＰＣＲＦにＴＥＡメッセージを返送し、メッセージにＳ９セッションの確立済み又は確立中の指示が含まれている（ステップＳ１２３２）。
Ｈ−ＰＣＲＦが、ステップＳ１２１０のＳ９セッションを受信する。Ｈ−ＰＣＲＦが、Ｖ−ＰＣＲＦにＲＡＲメッセージ（Ｓ９サブセッション確立トリガーメッセージ）を送信し、Ｓ９サブセッションの確立をトリガーし、メッセージにユーザ識別子、ＡＰＮ、ＵＥのローカルＩＰアドレスが含まれている（ステップＳ１２３４）。
【００６１】
Ｖ−ＰＣＲＦが、Ｈ−ＰＣＲＦに確認メッセージ（ＲＡＡ）を返送し、Ｓ９サブセッション確立トリガーメッセージを確認する（ステップＳ１２３６）。
Ｖ−ＰＣＲＦが、Ｈ−ＰＣＲＦにＣＣＲメッセージ（Ｓ９セッション補正メッセージ）を送信し、Ｓ９セッションを補正し、且つ、一つのＳ９サブセッションを確立し、サブセッションにユーザ識別子、ＡＰＮ、ＵＥローカルＩＰアドレスが含まれている。当該サブセッションは、ＥＰＣ−ｒｏｕｔｅｄサービスのポリシー制御に用いられる（ステップＳ１２３８）。
【００６２】
Ｈ−ＰＣＲＦが、Ｖ−ＰＣＲＦにＣＣＡメッセージを返送し、Ｓ９セッション補正メッセージを確認する（ステップＳ１２４０）。
Ｖ−ＰＣＲＦが、ステップＳ１２３４によってトリガーされて、ＢＰＣＦにＴＥＲメッセージを送信し、Ｓ９ａセッションの確立をトリガーし、メッセージにユーザ識別子、ＵＥローカルＩＰアドレスが含まれている（ステップＳ１２４２）。
【００６３】
ＢＰＣＦが、Ｖ−ＰＣＲＦにＴＥＡメッセージを返送し、Ｓ９ａセッション確立トリガーメッセージを確認する（ステップＳ１２４４）。
ＢＰＣＦが、Ｖ−ＰＣＲＦにＣＣＲメッセージを送信し、Ｓ９ａセッションの確立を要求する（ステップＳ１２４６）。
【００６４】
Ｖ−ＰＣＲＦが、ＢＰＣＦにＣＣＡメッセージを返送し、Ｓ９ａセッションの確立を確認する（ステップＳ１２４８）。
そして、ＢＰＣＦが、ＩＰ  Ｅｄｇｅにポリシーを提供する。
【００６５】
他の実施例において、ステップＳ１２３４〜ステップＳ１２４８を以下の順で実現することもできる。
Ｈ−ＰＣＲＦが、ステップＳ１２１０のＳ９セッションを受信する。Ｈ−ＰＣＲＦが、Ｖ−ＰＣＲＦにＲＡＲメッセージ（Ｓ９サブセッション確立トリガーメッセージ）を送信し、Ｓ９サブセッションの確立をトリガーし、メッセージにユーザ識別子、ＡＰＮ、ＵＥのローカルＩＰアドレスが含まれている（ステップＳ１２３４’）。
Ｖ−ＰＣＲＦが、ＢＰＣＦにＴＥＲメッセージを送信して、Ｓ９ａセッションの確立をトリガーし、メッセージにユーザ識別子、ＵＥローカルＩＰアドレスが含まれている（ステップＳ１２３６’）。
【００６６】
ＢＰＣＦが、Ｖ−ＰＣＲＦにＴＥＡメッセージを返送し、Ｓ９ａセッション確立トリガーメッセージを確認する（ステップＳ１２３８’）。
Ｖ−ＰＣＲＦが、Ｈ−ＰＣＲＦに確認メッセージ（ＲＡＡ）を返送し、Ｓ９サブセッション確立トリガーメッセージを確認する（ステップＳ１２４０’）。
【００６７】
ＢＰＣＦが、Ｖ−ＰＣＲＦにＣＣＲメッセージを送信して、Ｓ９ａセッションの確立を要求する（ステップＳ１２４２’）。
Ｖ−ＰＣＲＦが、Ｈ−ＰＣＲＦにＣＣＲメッセージ（Ｓ９セッション補正メッセージ）を送信して、Ｓ９セッションを補正し、且つ、一つのＳ９サブセッションを新しく確立し、サブセッションにはユーザ識別子、ＡＰＮ、ＵＥローカルＩＰアドレスが含まれている。当該サブセッションは、ＥＰＣ−ｒｏｕｔｅｄサービスのポリシー制御に用いられる（ステップＳ１２４４’）。
【００６８】
Ｈ−ＰＣＲＦが、Ｖ−ＰＣＲＦにＣＣＡメッセージを返送し、Ｓ９セッション補正メッセージを確認する（ステップＳ１２４６’）。
Ｖ−ＰＣＲＦが、ＢＰＣＦにＣＣＡメッセージを返送し、Ｓ９ａセッションの確立を確認する（ステップＳ１２４８’）。
【００６９】
実施例２
図１３は、本発明の実施例２に係わるセッション衝突処理方法を示すフローチャートであり、図１３に示すように、当該図は図３の構造図に基づくものであって、ＵＥがＰＭＩＰｖ６プロトコルによって３ＧＰＰにアクセス際のフローチャートで、その中のｅＰＤＧとＰ−ＧＷとの間はＧＴＰ（ＧＰＲＳ  Ｔｕｎｎｅｌ  Ｐｒｏｔｏｃｏｌ）を用いて、当該プロセスは以下のステップを含む。
ＵＥがＢＢＦアクセスシステムにアクセスし、３ＧＰＰ−ｂａｓｅｄアクセス認証を行う。ＢＢＦ  ＡＡＡが、３ＧＰＰ  ＡＡＡ  Ｐｒｏｘｙを介して３ＧＰＰ  ＡＡＡ  Ｓｅｒｖｅｒとの交換（又は、ＡＡＡ  Ｓｅｒｖｅｒが更にＨＳＳと交換）を行ってＥＡＰ認証を完成する（ステップＳ１３０２）。
ＵＥが、ＢＢＦアクセスネットワークが割り当てたローカルＩＰアドレスを取得する（ステップＳ１３０４）。
【００７０】
ＩＰ  Ｅｄｇｅがトリガーされ、且つ、ＰＣＲＦとのポリシー共通を支援する場合、ローカルポリシーが当該ユーザにＮＳＷＯのポリシー制御を提供可能であることを指示すると、ＩＰ  Ｅｄｇｅが、Ｖ−ＰＣＲＦにＣＣＲメッセージを送信してＳ９ａ＊セッションの確立を要求し、メッセージにユーザ識別子、ＵＥローカルＩＰアドレス、ＮＳＷＯ−ＡＰＮが含まれている（ステップＳ１３０６）。
Ｖ−ＰＣＲＦが当該ユーザのＳ９セッションの未確立を判定し、Ｖ−ＰＣＲＦが、Ｈ−ＰＣＲＦにＣＣＲメッセージを送信してＳ９セッション及び一つのＳ９サブセッションの確立を要求し、サブセッションにはユーザ識別子、ＵＥローカルＩＰアドレス、ＮＳＷＯ−ＡＰＮが含まれている。Ｖ−ＰＣＲＦはＳ９ａ＊セッションとＳ９サブセッションとの対応関係を記憶する。当該Ｓ９サブセッションはＮＳＷＯサービスに対するポリシー制御に用いられる（ステップＳ１３０８）。
【００７１】
Ｈ−ＰＣＲＦがポリシーを決定した後に確認メッセージ（即ち、ＣＣＡメッセージ）を返送し、且つ、ポリシーをＳ９サブセッションを介してＶ−ＰＣＲＦに送信する（ステップＳ１３１０）。
Ｖ−ＰＣＲＦが、ポリシーをさらにＣＣＡメッセージを介してＩＰ  Ｅｄｇｅに送信する（ステップＳ１３１２）。
ステップＳ１３１４〜ステップＳ１３４６はそれぞれ、ステップＳ１２１６〜ステップＳ１２４８に類似し、ただ、ＢＰＣＦではなく、Ｖ−ＰＣＲＦがＩＰ  Ｅｄｇｅと直接に交換することで異なっている。
【００７２】
実施例３
図１４は、本発明の実施例３に係わるセッション衝突処理方法を示すフローチャートであり、図１４に示すように、当該図は図２の構造図に基づくものであって、ＵＥがＤＳＭＩＰｖ６プロトコルによって３ＧＰＰにアクセスする際のフローチャートであり、当該プロセスは以下のステップを含む。
ＵＥがＢＢＦアクセスシステムにアクセスして、３ＧＰＰ−ｂａｓｅｄアクセス認証を行う。ＢＢＦ  ＡＡＡが３ＧＰＰ  ＡＡＡ  Ｐｒｏｘｙを介して３ＧＰＰ  ＡＡＡ  Ｓｅｒｖｅｒと交換（又は、ＡＡＡ  Ｓｅｒｖｅｒが更にＨＳＳと交換）することでＥＡＰ認証を完成する（ステップＳ１４０２）。
ＵＥが、ＢＢＦアクセスネットワークが割り当てたローカルＩＰアドレスを取得する（ステップＳ１４０４）。
【００７３】
ＢＰＣＦが、ステップＳ１４０２又はステップＳ１４０４によってトリガーされ、ＵＥがＢＢＦアクセスネットワークを介してアクセスした通知を受ける（ステップＳ１４０６）。
ＢＰＣＦがトリガーされ、且つ、ＰＣＲＦとのポリシー共通を支援する場合、ローカルポリシーが当該ユーザにＮＳＷＯのポリシー制御を提供可能であることを指示すると、ＢＰＣＦがＶ−ＰＣＲＦにＣＣＲメッセージを送信してＳ９ａ＊セッションの確立を要求し、メッセージにユーザ識別子、ＵＥローカルＩＰアドレス、ＮＳＷＯ−ＡＰＮが含まれている（ステップＳ１４０８）。
【００７４】
Ｖ−ＰＣＲＦが当該ユーザのＳ９セッションの未確立を判定し、Ｖ−ＰＣＲＦがＨ−ＰＣＲＦにＣＣＲメッセージを送信してＳ９セッション及び一つのＳ９サブセッションの確立を要求し、サブセッションにユーザ識別子、ＵＥローカルＩＰアドレス、ＮＳＷＯ−ＡＰＮが含まれている。Ｖ−ＰＣＲＦがＳ９ａ＊セッションとＳ９サブセッションとの対応関係を記憶する。当該Ｓ９サブセッションはＮＳＷＯサービスに対するポリシー制御に用いられる（ステップＳ１４１０）。
Ｈ−ＰＣＲＦがポリシーを決定した後に確認メッセージ（即ち、ＣＣＡメッセージ）を返送し、且つ、ポリシーをＳ９サブセッションを介してＶ−ＰＣＲＦに送信する（ステップＳ１４１２）。
【００７５】
Ｖ−ＰＣＲＦが、ポリシーをさらにＣＣＡメッセージを介してＢＰＣＦに送信する（ステップＳ１４１４）。
ＵＥがＢｏｏｔｓｔｒａｐｉｎｇフローを実行する。ＵＥが、アクセスポイント名（Ａｃｃｅｓｓ  Ｐｏｉｎｔ  Ｎａｍｅ、ＡＰＮと略称）に基づいて、ドメイン名システム（Ｄｏｍａｉｎ  Ｎａｍｅ  Ｓｙｓｔｅｍ、ＤＮＳと略称）調査を行って、アクセスしようとするＰＤＮのＰ−ＧＷのＩＰアドレスを取得する。ＵＥとＰ−ＧＷとの間のＤＳＭＩＰｖ６メッセージを保護するため、ＵＥはＩＫＥｖ２を用いてセキュリティアソシエーションを確立し、また、ＥＡＰによって認証を行う。Ｐ−ＧＷとＡＡＡ  Ｓｅｒｖｅｒ（又はＡＡＡ  Ｓｅｒｖｅｒが更にＨＳＳと交換）が通信を行ってＥＡＰ認証を完成し、同時に、Ｐ−ＧＷがＵＥにＩＰｖ６アドレス又はプレフィックスを割り当ててＵＥのホームアドレス（ＨｏＡ）とする（ステップＳ１４１６）。
【００７６】
ＵＥがＰ−ＧＷにＤＳＭＩＰｖ６バインド更新メッセージを送信し、メッセージにＣｏＡとＨｏＡが含まれている。バインドメッセージにおいて、寿命パラメータはゼロではない。Ｐ−ＧＷがバインドコンテキストを確立する（ステップＳ１４１８）。
Ｐ−ＧＷ中のＰＣＥＦがＨ−ＰＣＲＦにＩＰ−ＣＡＮセッション確立指示メッセージを送信する。Ｈ−ＰＣＲＦが、ユーザ識別子等の情報に基づいて、ＱｏＳ認可を行って、Ｐ−ＧＷ中のＰＣＥＦに確認メッセージを返送する（ステップＳ１４２０）。
【００７７】
Ｐ−ＧＷがＵＥにバインド確認メッセージを返送する（ステップＳ１４２２）。
この時、Ｈ−ＰＣＲＦがステップＳ１４１０で送信されたＳ９セッション確立メッセージを受信していないので、Ｈ−ＰＣＲＦは当該ユーザのＳ９セッションが未確立であると判定し、Ｈ−ＰＣＲＦがＶ−ＰＣＲＦにＴＥＲメッセージ（Ｓ９セッション確立トリガーメッセージ）を送信してＳ９セッションの確立をトリガーすると共に、ＥＰＣ−ｒｏｕｔｅｄサービスのポリシー制御に用いられるＳ９サブセッションを確立し、メッセージにユーザ識別子、ＡＰＮ、ＵＥローカルＩＰアドレス等の情報が含まれている（ステップＳ１４２４）。
【００７８】
Ｖ−ＰＣＲＦがＳ９セッションが確立済み又は確立中であることを検出したので、Ｈ−ＰＣＲＦにＴＥＡメッセージを返送し、メッセージにＳ９セッションが確立済み又は確立中であることを指示するものが含まれている（ステップＳ１４２６）。
Ｈ−ＰＣＲＦがステップＳ１４１０のＳ９セッションを受信する。Ｈ−ＰＣＲＦがＶ−ＰＣＲＦにＲＡＲメッセージ（Ｓ９サブセッション確立トリガーメッセージ）を送信してＳ９サブセッションの確立をトリガーし、メッセージにユーザ識別子、ＡＰＮ、ＵＥのローカルＩＰアドレスが含まれている（ステップＳ１４２８）。
【００７９】
Ｖ−ＰＣＲＦが、Ｈ−ＰＣＲＦに確認メッセージ（ＲＡＡ）を返送し、Ｓ９サブセッション確立トリガーメッセージを確認する（ステップＳ１４３０）。
Ｖ−ＰＣＲＦがＨ−ＰＣＲＦにＣＣＲメッセージ（Ｓ９セッション補正メッセージ）を送信してＳ９セッションを補正すると共に、一つのＳ９サブセッションを新しく確立し、サブセッションにユーザ識別子、ＡＰＮ、ＵＥローカルＩＰアドレスが含まれている。当該サブセッションは、ＥＰＣ−ｒｏｕｔｅｄサービスのポリシー制御に用いられる（ステップＳ１４３２）。
【００８０】
Ｈ−ＰＣＲＦがＶ−ＰＣＲＦにＣＣＡメッセージを返送し、Ｓ９セッション補正メッセージを確認する（ステップＳ１４３４）。
Ｖ−ＰＣＲＦが、ステップＳ１４２８によってトリガーされ、ＢＰＣＦにＴＥＲメッセージを送信して、Ｓ９ａセッションの確立をトリガーし、メッセージにユーザ識別子、ＵＥローカルＩＰアドレスが含まれている（ステップＳ１４３６）。
【００８１】
ＢＰＣＦがＶ−ＰＣＲＦにＴＥＡメッセージを返送し、Ｓ９ａセッション確立トリガーメッセージを確認する（ステップＳ１４３８）。
ＢＰＣＦがＶ−ＰＣＲＦにＣＣＲメッセージを送信してＳ９ａセッションの確立を要求する（ステップＳ１４４０）。
【００８２】
Ｖ−ＰＣＲＦがＢＰＣＦにＣＣＡメッセージを返送し、Ｓ９ａセッションの確立を確認する（ステップＳ１４４２）。
ＢＰＣＦがＩＰ  Ｅｄｇｅにポリシーを提供する（ステップＳ１４４４）。
【００８３】
他の実施例において、ステップＳ１４２８〜ステップＳ１４４４を以下の順で実行することもできる：
Ｈ−ＰＣＲＦがステップＳ１４１０のＳ９セッションを受信する。Ｈ−ＰＣＲＦがＶ−ＰＣＲＦにＲＡＲメッセージ（Ｓ９サブセッション確立トリガーメッセージ）を送信してＳ９サブセッションの確立をトリガーし、メッセージにユーザ識別子、ＡＰＮ、ＵＥのローカルＩＰアドレスが含まれている（ステップＳ１４２８’）。
Ｖ−ＰＣＲＦがＢＰＣＦにＴＥＲメッセージを送信してＳ９ａセッションの確立をトリガーし、メッセージにユーザ識別子、ＵＥローカルＩＰアドレスが含まれている（ステップＳ１４３０’）。
【００８４】
ＢＰＣＦがＶ−ＰＣＲＦにＴＥＡメッセージを返送して、Ｓ９ａセッション確立トリガーメッセージを確認する（ステップＳ１４３２’）。
Ｖ−ＰＣＲＦがＨ−ＰＣＲＦに確認メッセージ（ＲＡＡ）を返送してＳ９サブセッション確立トリガーメッセージを確認する（ステップＳ１４３４’）。
【００８５】
ＢＰＣＦがＶ−ＰＣＲＦにＣＣＲメッセージを送信してＳ９ａセッションの確立を要求する（ステップＳ１４３６’）。
Ｖ−ＰＣＲＦがＨ−ＰＣＲＦにＣＣＲメッセージ（Ｓ９セッション補正メッセージ）を送信して、Ｓ９セッションを補正すると共に、一つのＳ９サブセッションを新しく確立し、サブセッションにユーザ識別子、ＡＰＮ、ＵＥローカルＩＰアドレスが含まれている。当該サブセッションはＥＰＣ−ｒｏｕｔｅｄサービスのポリシー制御に用いられる（ステップＳ１４３８’）。
【００８６】
Ｈ−ＰＣＲＦが、Ｖ−ＰＣＲＦにＣＣＡメッセージを返送し、Ｓ９セッション補正メッセージを確認する（ステップＳ１４４０’）。
Ｖ−ＰＣＲＦがＢＰＣＦにＣＣＡメッセージを返送し、Ｓ９ａセッションの確立を確認する（ステップＳ１４４２’）。
ＢＰＣＦがＩＰ  Ｅｄｇｅにポリシーを提供する（ステップＳ１４４４’）。
【００８７】
実施例４
図１５は本発明の実施例４に係わるセッション衝突処理方法を示すフローチャートであり、図１５に示すように、当該図は図３の構造図に基づくもので、ＵＥがＤＳＭＩＰｖ６プロトコルによって３ＧＰＰにアクセスする際のフローチャートであって、当該プロセスは以下のステップを含む：
ＵＥがＢＢＦアクセスシステムにアクセスして３ＧＰＰ−ｂａｓｅｄアクセス認証を行う。ＢＢＦ  ＡＡＡが３ＧＰＰ  ＡＡＡ  Ｐｒｏｘｙを介して３ＧＰＰ  ＡＡＡ  Ｓｅｒｖｅｒと交換（又は、ＡＡＡ  Ｓｅｒｖｅｒが更にＨＳＳと交換）してＥＡＰ認証を完成する（ステップＳ１５０２）。
ＵＥがＢＢＦアクセスネットワークが割り当てたローカルＩＰアドレスを取得する（ステップＳ１５０４）。
【００８８】
ＩＰ  Ｅｄｇｅがトリガーされ、且つＰＣＲＦとのポリシー共通を支援する場合、ローカルポリシーが当該ユーザにＮＳＷＯのポリシー制御を提供可能であることを指示すると、ＩＰ  ＥｄｇｅがＶ−ＰＣＲＦにＣＣＲメッセージを送信して、Ｓ９ａ＊セッションの確立を要求し、メッセージにユーザ識別子、ＵＥローカルＩＰアドレス、ＮＳＷＯ−ＡＰＮが含まれている（ステップＳ１５０６）。
Ｖ−ＰＣＲＦが当該ユーザのＳ９セッションの未確立を判定し、Ｖ−ＰＣＲＦがＨ−ＰＣＲＦにＣＣＲメッセージを送信して、Ｓ９セッション及び一つのＳ９サブセッションの確立を要求し、サブセッションにユーザ識別子、ＵＥローカルＩＰアドレス、ＮＳＷＯ−ＡＰＮが含まれている。Ｖ−ＰＣＲＦがＳ９ａ＊セッションとＳ９サブセッションとの対応関係を記憶する。当該Ｓ９サブセッションはＮＳＷＯサービスに対するポリシー制御に用いられる（ステップＳ１５０８）。
【００８９】
Ｈ−ＰＣＲＦがポリシーを決定した後に確認メッセージ（即ち、ＣＣＡメッセージ）を返送し、また、ポリシーをＳ９サブセッションを介してＶ−ＰＣＲＦに送信する（ステップＳ１５１０）。
Ｖ−ＰＣＲＦが、ポリシーを更にＣＣＡメッセージを介してＩＰ  Ｅｄｇｅに送信する（ステップＳ１５１２）。
ステップＳ１５１４〜ステップＳ１５４０はステップＳ１４１６〜ステップＳ１４４２にそれぞれ類似し、ただ、ＢＰＣＦではなく、Ｖ−ＰＣＲＦがＩＰ  Ｅｄｇｅと直接に交換する点で異なっている。
【００９０】
他の実施例において、上記実施例及びび好適な実施形態に記載の技術案を実行するためのソフトウェアを提供する。
また、他の実施例において、上記ソフトウェアが格納された記憶媒体を提供し、当該記憶媒体は光ディスク、フロッピ、ハードディスク、書き込み・消去可能なメモリ等を含むが、これらに限定されることはない。
【００９１】
産業実用性
本発明の上記実施例によると、システムの安定性を向上させ、良好な産業実用性を有している。
【００９２】
当業者にとって、上記の本発明の各ブロック又は各ステップは汎用の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、且つ、ある場合において、ここと異なる順番で上述或いは説明のステップを実行可能し、又はそれらを夫々の集積回路ブロックにそれぞれ製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００９３】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【符号の説明】
【００９４】
６０  セッション確立装置
６２  第１の受信モジュール
６４  判定モジュール
６６  指示モジュール
６６２  送信ユニット
７２  第２の受信モジュール
９０  セッション確立装置
９２  第１の送信モジュール
９４  第３の受信モジュール
９６  第２の送信モジュール
１０２  検出モジュール
【図１】
2015537426.tif 000003
【図２】
2015537426.tif 000004
【図３】
2015537426.tif 000005
【図４】
2015537426.tif 000006
【図５】
2015537426.tif 000007
【図６】
2015537426.tif 000008
【図７】
2015537426.tif 000009
【図８】
2015537426.tif 000010
【図９】
2015537426.tif 000011
【図１０】
2015537426.tif 000012
【図１１】
2015537426.tif 000013
【図１２】
2015537426.tif 000014
【図１３】
2015537426.tif 000015
【図１４】
2015537426.tif 000016
【図１５】
2015537426.tif 000017
【国際調査報告】
2015537426.tif 000018
2015537426.tif 000019
2015537426.tif 000020
2015537426.tif 000021